(57)【特許請求の範囲】
【請求項１】
スキャナユニットを支持するための１対のスキャナ支持部材及び位置決め板を有するスキャナ保持装置において、少なくとも一方のスキャナ支持部材の先端には止めネジによって取り付けられかつ上下に移動可能なスキャナ位置調整部材を有し、前記スキャナ支持部材には前記スキャナ位置調整部材を取り付ける止めネジの外径とほぼ同一の丸穴を複数列状に配列して設け、前記スキャナ位置調整部材にも複数のネジ穴を列状に配列して設け、更に、前記複数の丸穴の配列方向と前記複数のネジ穴の配列方向との内で少なくとも一方の丸穴又はネジ穴の水平方向の高さ位置が配列方向で段階的に変化するよう設けられ、且つ、使用する丸穴やネジ穴を替えた上でネジ止めを行う際に、前記位置決め板から突出する位置決めピンが前記スキャナ支持部材の前記丸穴と前記スキャナ位置調整部材のネジ穴を貫通して、それらの位置固定を行なうことにより、スキャナユニットの支持高さを段階的に調整する、ことを特徴とするスキャナ保持装置。
【請求項２】
前記位置決め板は前記止めネジを挿入する穴を挟んで上下に前記位置決めピンを備え、前記スキャナ支持部材は３列に配置した穴を有し、前記スキャナ位置調整部材は１列がネジ穴である３列の穴を有することを特徴とする請求項１記載のスキャナ保持装置。
【請求項３】
前記スキャナ位置調整部材に設けた複数のネジ穴の高さは水平方向に同一高さとし、前記スキャナ支持部材に設けた複数の丸穴の高さは水平方向に段階的に変化させていることを特徴とする請求項１記載のスキャナ保持装置。
【請求項４】
前記スキャナ支持部材に設けた複数の丸穴の高さは水平方向に同一高さとし、前記スキャナ位置調整部材に設けた複数のネジ穴の高さは水平方向に段階的に変化させていることを特徴とする請求項１記載のスキャナ保持装置。
【請求項５】
前記スキャナ支持部材に設けた複数の丸穴の高さを水平方向に段階的に変化させ、前記スキャナ位置調整部材に設けた複数のネジ穴の高さは、前記スキャナ支持部材に設けた複数の丸穴の高さと逆方向にかつ水平方向に段階的に変化させていることを特徴とする請求項１記載のスキャナ保持装置。
【請求項６】
前記スキャナ支持部材にある複数列の穴の最下方向の穴列を縦長穴とし、前記位置調整部材にある複数列の穴の最下方向の穴列も縦長穴として設け、１段階につき上下に位置決めピンを有する位置決め板で位置調整することを特徴とする請求項１記載のスキャナ保持装置。
【請求項７】
前記スキャナ支持部材の前記丸穴の近傍に数字、或いは目盛りによる表示部を設けることを特徴とする請求項１乃至６のいずれか１項記載のスキャナ保持装置。
【請求項８】
請求項１乃至７のいずれか１項記載のスキャナ保持装置を備えたことを特徴とする画像形成装置。
【発明の詳細な説明】
【技術分野】
【０００１】
本発明は、デジタル複写機、ファクシミリ装置などの画像形成装置のスキャナユニットを保持するために用いられるスキャナ保持装置、及びこれを備えた画像形成装置に関するものである。
【背景技術】
【０００２】
複写機等の画像形成装置のスキャナユニット支持部は、原稿画像を正確に読み取れるように、水平状態を保ち、さらに荷重が掛かってもゆがみや変形を生じさせることが無いように画像形成装置本体に取り付ける必要がある。
近年、プロッタ部の上方に排紙部を有し、さらにその上方にスキャナユニットを配置する構成を備えた胴内排紙タイプが増えているが、この場合に、スキャナユニットの下方に排紙された用紙の取り出し性を向上させるため、左右に設けた１対のスキャナ支持部材のうち、片方のスキャナ支持部材を後側のみ装置に固定し、前側の下は空間とするレイアウトが増えてきている。
【０００３】
この場合、前述のようにスキャナユニット支持部を水平状態を保つために、後側の片持ちとなるスキャナ支持部材の強度を向上させる必要があるが、その一方で自重による軽度の変形や部品精度のバラつきにより水平にならない場合に、片持ちとなるスキャナ支持部材の先端に上下に移動可能な位置調整用部材を配置して、水平度を微調整できるようになっているものがある。
既存の画像形成装置では、片持ちとなるスキャナ支持部材の側面に長穴を設け、位置調整用部材には取り付け用ネジ穴を設けて、位置調整用部材を上下に移動させても、ネジ止めできるようになっている。
【発明の開示】
【発明が解決しようとする課題】
【０００４】
しかしながら、従来の画像形成装置では、位置調整用部材を側面より締結してあるため、長穴を利用すると、上方からの荷重により下方へずれ落ちる可能性があるという問題がある。
そこで、本発明の目的は、スキャナ位置調整部材の上下位置を止めネジにより調整可能としながら、上方からの荷重によりネジ止め部のズレを防止するスキャナ保持装置及びこれを備えた画像形成装置を提供することにある。
【課題を解決するための手段】
【０００７】
上記の課題を解決するために、請求項１に記載の発明は、スキャナユニットを支持するための１対のスキャナ支持部材及び位置決め板を有するスキャナ保持装置において、少なくとも一方のスキャナ支持部材の先端には止めネジによって取り付けられかつ上下に移動可能なスキャナ位置調整部材を有し、前記スキャナ支持部材には前記スキャナ位置調整部材を取り付ける止めネジの外径とほぼ同一の丸穴を複数列状に配列して設け、前記スキャナ位置調整部材にも複数のネジ穴を列状に配列して設け、更に、前記複数の丸穴の配列方向と前記複数のネジ穴の配列方向との内で少なくとも一方の丸穴又はネジ穴の水平方向の高さ位置が配列方向で段階的に変化するよう設けられ、且つ、使用する丸穴やネジ穴を替えた上でネジ止めを行う際に、前記位置決め板から突出する位置決めピンが前記スキャナ支持部材の前記丸穴と前記スキャナ位置調整部材のネジ穴を貫通して、それらの位置固定を行なうことにより、スキャナユニットの支持高さを段階的に調整する、ことを特徴とする。
また、請求項２に記載の発明は、前記位置決め板は前記止めネジを挿入する穴を挟んで上下に前記位置決めピンを備え、前記スキャナ支持部材は３列に配置した穴を有し、前記スキャナ位置調整部材は１列がネジ穴である３列の穴を有する請求項１記載のスキャナ保持装置を特徴とする。
【０００８】
また、請求項３に記載の発明は、前記スキャナ位置調整部材に設けた複数のネジ穴の高さは水平方向に同一にし、前記スキャナ支持部材に設けた複数の丸穴の高さは水平方向に段階的に変化させている請求項１記載のスキャナ保持装置を特徴とする。
また、請求項４に記載の発明は、前記スキャナ支持部材に設けた複数の丸穴の高さは水平方向に同一にし、前記スキャナ位置調整部材に設けた複数のネジ穴の高さは水平方向に段階的に変化させている請求項１記載のスキャナ保持装置を特徴とする。
また、請求項５に記載の発明は、前記スキャナ支持部材に設けた複数の丸穴の高さを水平方向に段階的に変化させ、前記スキャナ位置調整部材に設けた複数のネジ穴の高さは、前記スキャナ支持部材に設けた複数の丸穴の高さと逆方向にかつ水平方向に段階的に変化させている請求項１記載のスキャナ保持装置を特徴とする。
【０００９】
また、請求項６に記載の発明は、前記スキャナ支持部材にある複数列の穴の最下方向の穴列を縦長穴とし、前記位置調整部材にある複数列の穴の最下方向の穴列も縦長穴として設け、１段階につき上下に位置決めピンを有する位置決め板で位置調整する請求項１記載のスキャナ保持装置を特徴とする。
また、請求項７に記載の発明は、前記スキャナ支持部材の前記丸穴の近傍に数字による表示部を設ける請求項１乃至６のいずれか１項記載のスキャナ保持装置を特徴とする。
また、請求項８に記載の発明は、請求項１乃至７のいずれか１項記載のスキャナ保持装置を備える画像形成装置を特徴とする。
【発明の効果】
【００１０】
本発明によれば、使用する丸穴やネジ穴を替えた上でネジ止めを行うことにより、スキャナユニットの支持高さを高精度に位置決めかつ調整できるとともに、上方から荷重が掛かってもネジ止め部がずれる恐れのないスキャナ保持装置及びこれを備えた画像形成装置を提供することができる。
【発明を実施するための最良の形態】
【００１１】
以下、図面を参照して、本発明の実施の形態を詳細に説明する。図１は本発明を適用し得る画像形成装置を示す概略図である。この画像形成装置は胴体排紙部を有する構成の例として示すのみでこの外観が本発明を左右するものではないことを理解されたい。
図１の画像形成装置３０は、自動原稿送り装置を含むスキャナ部３１、このスキャナ部３１からの情報により画像を形成する画像形成部３２、この画像形成部３２で形成された画像を転写する記録紙を供給する記録紙給紙部３３、転写されかつ熱定着された記録紙を排出かつ堆積する胴体排紙部３４から構成されている。
【００１２】
図２は本発明による画像形成装置の構造体にスキャナユニットを載置した状態で示す概略斜視図である。図３は図２の本発明による画像形成装置の構造体にスキャナユニットを載置した状態を９０°別の角度から示す概略斜視図である。図４は画像形成装置のスキャナ保持装置を含む構造体を図３と同じ角度から単体の状態で示す概略斜視図である。
構造体Ａは、その上部に、スキャナユニット４を水平に保持するために第１スキャナ支持板５及び第２スキャナ支持板６からなるスキャナ保持装置を備えている。
【００１３】
スキャナユニット４は、第１スキャナ支持板５の第１スキャナ受部８（図４で第１スキャナ支持板５の左側）、第１スキャナ支持板５の第２スキャナ受部９（図４で第１スキャナ支持板５の右側）、第２スキャナ支持板６の第１スキャナ受部１０（図４で第２スキャナ支持板６の左側）、第２スキャナ支持板６の第２スキャナ受部１１（図４で第２スキャナ支持板６の右側）の４箇所で支持され、これら４箇所のスキャナ受部の内、第２スキャナ支持板６の第１スキャナ受部１０はスキャナ位置調整板７を上下させることにより位置を調整することができるようになっている。
【００１４】
図５は第２スキャナ支持板とスキャナ位置調整板の組み付け状態を示す概略斜視図である。図６は図５の第２スキャナ支持板とスキャナ位置調整板の組み付け状態を図５の背部から見た概略斜視図である。図７は２スキャナ支持板とスキャナ位置調整板をその分解状態で示す分解斜視図である。
第２スキャナ支持板６の側面には、縦方向に２箇所の丸穴６ａと縦長穴６ｂで１対となる穴を有し、この穴対が横方向に複数セット設けてある。
第２スキャナ支持板６の穴対を構成する穴は上側が主基準の丸穴６ａ、下側が従基準の縦長穴６ｂになり、これらの穴６ａ、６ｂの水平方向の高さは、例えば、図７に示すように、左端から右端にいくに従って（第２スキャナ支持板６の端部に向かって）段階的にずれて上昇している。
【００１５】
また、主基準の丸穴６ａはスキャナ位置調整板７の止めネジ１２の最大外径寸法とほぼ同じに作ってあるとともに、従基準の縦長穴６ｂの幅もスキャナ位置調整板７の止めネジ１３の最大外径寸法とほぼ同じにしてある。
一方、スキャナ位置調整板７には、同様に縦方向にネジ穴７ａ、７ｃを設けてあり、さらにそれが横方向に列として２セット設けてあるが、これらのネジ穴７ａ、７ｃは水平高さを同一にしてある。図６には、さらに、第２スキャナ支持板６のスキャナ補強板１５、第２スキャナ支持板６のスキャナ後受板１６、及び第２スキャナ支持板６のスキャナ後補強板１７が示してある。
なお、図示はしてないが、スキャナ位置調整板７のネジ穴７ａ、７ｃは、第２スキャナ支持板６の穴対を構成する穴と同様に、水平方向の高さを、段階的にずらすこともできる。
【００１６】
図７に示すように、第２スキャナ支持板６の側面には、スキャナ位置調整部材７のネジ穴７ｂにネジ止めする止めネジ１４用の縦長穴６ｃの間付近に、位置調整高さを数字、或いは目盛りで示す表示部分６ｅが設けてある。表示部分６ｅは開口であり、スキャナ位置調整板７の対応する位置にある数字、或いは目盛りをこの開口から見ることができるように構成されている。これによりスキャナユニット４の支持高さの変化量を判り易くすることができる。
図示はしてないが、第２スキャナ支持板６に設けた複数の丸穴６ａ、６ｂと、スキャナ位置調整部材７に設けた複数のネジ穴７ａ、７ｃの配列を千鳥状配列にすることもできる。
【００１７】
また、左端から右端にいくに従って（第２スキャナ支持板６の端部に向かって）段階的にずれて上昇している第２スキャナ支持板６の穴６ａ、６ｂとは、逆方向にスキャナ位置調整部材７のネジ穴７ａ、７ｃを、例えば、第２スキャナ支持板６について説明した、左端から右端とは逆に右端から左端にいくに従って段階的にずらして形成することも可能である。
なお、スキャナ位置調整板７と第２スキャナ支持板６を連結する止めネジ１２、１３とは別に、さらに、スキャナ位置調整板７には止めネジ１４用のネジ穴７ｂが設けてある。また、第２スキャナ支持板６には止めネジ１４用の縦長穴６ｃが設けてある。
前後左右４箇所のスキャナ受部８、９、１０、１１の平面度が所定の値になるように、治具等にてスキャナ位置調整板７の高さを調整する際、第２スキャナ支持板６とスキャナ位置調整板７は止めネジ１４によって仮固定できるようになっている。
【００１８】
図８は第２スキャナ支持板とスキャナ位置調整板のネジ止めを第１の状態で示す概略図である。図９は第２スキャナ支持板とスキャナ位置調整板のネジ止めを第２の状態で示す概略図である。図１０は第２スキャナ支持板とスキャナ位置調整板のネジ止めを第３の状態で示す概略図である。
第２スキャナ支持板６とスキャナ位置調整板７はそれらの穴６ａ、６ｂ、及びネジ穴７ａを替えてネジ止めする状態を示してある。図８乃至図１０において、スキャナ位置調整板７のネジ穴７ａ、７ｃは水平方向で同一高さ位置にあり、第２スキャナ支持板６の穴６ａ、６ｂは第２スキャナ支持板６の図示右端に向かって高さ位置が上昇している。
【００１９】
図８は左側の穴６ａとネジ穴７ａ、図９は中央の穴６ａとネジ穴７ａ、図１０は右側の穴６ａとネジ穴７ａを用いて第２スキャナ支持板６とスキャナ位置調整板７を止めネジ１２、１３でネジ止めしている。このように、使用する穴６ａとネジ穴７ａを列の右側、中央及び左側へと替えることにより、スキャナ位置調整板７の上下方向の位置を調整できる。
また、第２スキャナ支持板６の主基準の丸穴６ａ、及び従基準の縦長穴６ｂの幅がスキャナ位置調整板７の止めネジ１２、１３の外径ぎりぎりにしてあることにより、たとえ、上方向から強い荷重が掛かっても、スキャナ位置調整板７がずれてしまうことを防ぐことができるようになっている。
使用するネジ止め穴を替えることにより、スキャナユニット４（図２）の支持高さを段階的に調整できる。丸穴６ａを主基準、縦長穴６ｂを従基準としてネジ止めすることにより、スキャナ位置調整部材７が回転してしまうことを防ぐことができる。
【００２０】
図１１は第２スキャナ支持板とスキャナ位置調整板の位置決めに追加された位置決め板１８を示す概略斜視図である。図１２は図１１の第２スキャナ支持板とスキャナ位置調整板の位置決めを示す分解斜視図である。
第２スキャナ支持板６には、大きさ及び形状の異なる垂直方向に３個の穴６ａ、６ｂ、６ｄが水平方向の高さ位置を僅かにずらしかつ水平方向に列をなして設けられ、スキャナ位置調整板７には第２スキャナ支持板６の穴６ａ、６ｂ、６ｄに対応する箇所に垂直方向の高さ位置をずらすことなく３列に同一径の穴７ｃ、７ｄ、７ｅが設けられている。
【００２１】
また、第２スキャナ支持部材６の縦長穴６ｃの近傍に数字、目盛りによる表示部６ｅが設けられている（表示部６ｅは開口であり、対応するスキャナ位置調整板７に設けた数字、目盛りを読取るように構成されている）。図７に示したのと同様に、第２スキャナ支持板６とスキャナ位置調整板７は、そのネジ穴７ｂと第２スキャナ支持部材６の縦長穴６ｃを使用する止めネジ１４によって仮固定できるようになっている。
【００２２】
位置決め板１８からは位置決めピン２０、２１が止めネジ挿入穴１８ａを挟んで上下２箇所に突出しており、その位置決めピン２０、２１を第２スキャナ支持板６の丸穴６ａ及び縦長穴６ｂとスキャナ位置調整板７の丸穴７ａ、７ｃに貫通させて固定することにより、スキャナユニット４（図２）の支持高さをより高精度に位置決めかつ調整できるとともに、上方から荷重が掛かっても位置決め部がずれる恐れのないスキャナ保持装置を構成することができる。
位置決め板１８は止めネジ１９を挿入する挿入穴１８ａを挟んで上下に位置決めピン２０、２１を備え、スキャナ支持部材６は３列に配置した穴６ａ、６ｂ、６ｄを有し、スキャナ位置調整部材７はネジ穴である３列の穴７ａ、７ｃ、７ｄを有している。
【００２３】
それぞれ２列の穴列を有する場合と同様に、スキャナ位置調整部材７に設けた複数のネジ穴の高さは水平方向に同一にし、スキャナ支持部材６に設けた複数の丸穴の高さは水平方向に段階的に変化させることができる。
また、図示していないが、スキャナ支持部材６に設けた穴列の穴６ｄの高さは水平方向に同一にし、スキャナ位置調整部材７に設けた複数のネジ穴７ｄの高さを水平方向に段階的に変化させることもできる。
【００２４】
スキャナ支持部材６に設けた穴列の丸穴６ａの高さを水平方向に段階的に変化させ、スキャナ位置調整部材７に設けた穴７ａの高さは、スキャナ支持部材６に設けた丸穴６ａの高さ変化と逆方向にかつ水平方向に段階的に変化させることも可能である。
スキャナ位置調整板７と第２スキャナ支持板６とのネジ止めは位置決め板１８の中央穴であるネジ穴１８ａで行なわれる。スキャナ支持部材６にある複数列の穴６ａ、６ｄ、６ｂの最下方向の穴列を縦長穴６ｂとし、スキャナ位置調整部材７にある複数列の穴７ａ、７ｄ、７ｃの、第２スキャナ支持板６の縦長穴６ｂに対応する最下方向の穴列も縦長穴（図示せず）として設け、長手方向両端に位置決めピン２０、２１を有する位置決め板１８で位置調整することができる。
【００２５】
上述した構成を有するスキャナ保持装置を備えることによって、より高精度にスキャナユニットの支持高さが調整されかつ原稿の画像を正確に読み取れるように水平状態を保ち、さらに荷重が掛かっても歪みや変形を生じさせること無い複写機等の画像形成装置を提供することができる。
【図面の簡単な説明】
【００２６】
【図１】本発明を適用し得る画像形成装置を示す概略図である。
【図２】本発明による画像形成装置の構造体にスキャナユニットを載置した状態で示す概略斜視図である。
【図３】図２の本発明による画像形成装置の構造体にスキャナユニットを載置した状態を９０°別の角度から示す概略斜視図である。
【図４】画像形成装置のスキャナ保持装置を含む構造体を図３における角度から単体の状態で示す概略斜視図である。
【図５】第２スキャナ支持板とスキャナ位置調整板の組み付け状態を示す概略斜視図である。
【図６】図５の第２スキャナ支持板とスキャナ位置調整板の組み付け状態を図５の背部で示す概略斜視図である。
【図７】第２スキャナ支持板とスキャナ位置調整板をその分解状態で示す分解斜視図である。
【図８】第２スキャナ支持板とスキャナ位置調整板のネジ止めを第１の状態で示す概略図である。
【図９】第２スキャナ支持板とスキャナ位置調整板のネジ止めを第２の状態で示す概略図である。
【図１０】第２スキャナ支持板とスキャナ位置調整板のネジ止めを第３の状態で示す概略図である。
【図１１】第２スキャナ支持板とスキャナ位置調整板の位置決めに追加された位置決め板を示す概略斜視図である。
【図１２】図１１の第２スキャナ支持板とスキャナ位置調整板の位置決めを示す分解斜視図である。
【符号の説明】
【００２７】
Ａ  スキャナ保持装置（構造体）
４  スキャナユニット
５  第１スキャナ支持部材（第１スキャナ支持板）
６  第２スキャナ支持部材（第２スキャナ支持板）
６ａ  穴（丸穴）
６ｂ  縦長穴（丸穴）
６ｃ  縦長穴
６ｄ  穴（丸穴）
７  スキャナ位置調整部材（スキャナ位置調整板）
７ａ  ネジ穴
７ｂ  ネジ穴
７ｃ  ネジ穴
７ｄ  ネジ穴
７ｅ  穴（丸穴）
１２  止めネジ（位置調整用主基準）
１３  止めネジ（位置調整用従基準）
１４  止めネジ（仮固定用）
１８  位置決め板
１９  位置決め板止めネジ
２０  位置決めピン（主基準）
２１  位置決めピン（従基準）
３０  画像形成装置
【図１】
0005162848.tif 000002
【図２】
0005162848.tif 000003
【図３】
0005162848.tif 000004
【図４】
0005162848.tif 000005
【図５】
0005162848.tif 000006
【図６】
0005162848.tif 000007
【図７】
0005162848.tif 000008
【図８】
0005162848.tif 000009
【図９】
0005162848.tif 000010
【図１０】
0005162848.tif 000011
【図１１】
0005162848.tif 000012
【図１２】
0005162848.tif 000013